(57)【要約】      （修正有）【課題】震災等の災害時においても破損や崩落の危険性が少なく、また、災害時以外の通常時においても案内表示等の情報性や、美感性を確保し、スペースの有効活用をすることが可能な防煙垂壁を提供する。【解決手段】防煙垂壁１は、透明なアクリルによって形成された矩形状の導光板２と、導光板２の縁に沿って設けられたＬＥＤ３と、導光板２を建築物の天井に固定する不燃材の枠体４と、を有して構成される。導光板２の表示方向の表面において、不燃材のシート６が設けられ、導光板２は、枠体４とシート６とによって覆われ、表示方向の表面において装飾が施される。これにより、防煙垂壁１としての機能を発揮しつつ、電光サインとしても機能を発揮することが可能となるため、スペースの有効活用をしつつ、明るいイメージの装飾を表示することが可能となる。【選択図】図１
2018099488.tif 000002
【特許請求の範囲】
【請求項１】
透明なアクリルによって形成された矩形状の導光板と、
前記導光板の縁に沿って設けられたＬＥＤと、
前記導光板を建築物の天井に固定する不燃材の枠体と、を有し、
前記導光板の表示方向の表面において、不燃材のシートが設けられ、
前記導光板は、前記枠体と前記シートとによって覆われ、表示方向の表面において装飾が施されることを特徴とする防煙垂壁。
【請求項２】
透明なアクリルによって形成された矩形状の導光板と、
前記導光板の縁に沿って設けられたＬＥＤと、
前記導光板を建築物の天井に固定する不燃材の枠体と、を有し、
前記導光板の表示方向において、不燃材のシートが設けられ、
前記導光板は、前記枠体と前記シートとによって覆われ、
前記シートは、前記導光板の表示方向の表面において装飾が施されることを特徴とする防煙垂壁。
【請求項３】
前記枠体は、前記導光板の上縁を保持する天井側枠体と、前記導光板の下縁を保持する床側枠体と、を有し、
前記ＬＥＤは、前記天井側枠体に設けられることを特徴とする請求項１又は２に記載の防煙垂壁。
【請求項４】
前記導光板は、表示方向の表面にエンボス加工が施されることを特徴とする請求項１乃至３のいずれかに記載の防煙垂壁。
【請求項５】
前記不燃材のシートは、前記導光板の表面に着脱可能に貼着されることを特徴とする請求項１乃至４のいずれかに記載の防煙垂壁。
【請求項６】
前記不燃材のシートは、前記導光板の表面にスライド可能に設けられた樹脂製のスライド板に着脱可能に貼着されることを特徴とする請求項１乃至４のいずれかに記載の防煙垂壁。
【発明の詳細な説明】
【技術分野】
【０００１】
本発明は、建物において防煙区画を構成する防煙垂壁に関する。
【背景技術】
【０００２】
防煙垂壁は、間仕切壁、天井面から５０ｃｍ（政令第２８条第１項１号に掲げる防火対象物にあっては、８０ｃｍ）以上下方に突出した垂れ壁、その他これらと同等以上の煙の流動を妨げる効力のあるもので、不燃材（アルミニウム、ガラス等加熱により容易に変形又は破損するものを除く。）で造り、又は覆われたものをいう（建築基準法施行令１２６条の２第１項）。
【０００３】
このような防煙垂壁として、従来用いられているものは、多数のガラス板を天井から所定の高さまで下ろしたものを連ねることによって構成されているものが多い。
このような防煙垂壁は、例えば商業施設に設置されるもので、消防法や、建築基準法等の法律で定められた所定の防煙機能を有し、所定の区画ごとに設けられている。
【０００４】
ところで、商業施設等においては、通路等の案内は、防煙垂壁とは別個に設けられた看板等によって行われている。このため、防煙垂壁と看板等が様々な個所に設けられ、まとまりがなく、美感を損ねると共に、スペースの有効活用ができない問題がある。
【０００５】
このような問題を解消するものとして、防煙垂壁に標識や案内の機能を持たせたものが特許文献１に開示されている。
【０００６】
また、ガラス素材の導光板を用いて防煙垂壁を構成したものであって、天井側に光源を設けて導光板の表示方向の表面に案内表示等が施すことも行われている。
【先行技術文献】
【特許文献】
【０００７】
【特許文献１】特開２０１４−１３２２９４号公報
【発明の概要】
【発明が解決しようとする課題】
【０００８】
しかしながら、特許文献１の防煙垂壁は、防煙機能を確保するためにガラス素材が採用されている。
このため、ガラス製の防煙垂壁は、震災等の災害時において破損や崩落した場合にはガラス片が飛散する危険性がある。
【０００９】
また、特許文献１の防煙垂壁は、蓄光性の案内表示であり、停電時等における案内表示を果たすものの、通常時において、目立ちにくく十分な情報を提供することができない問題や、デザインも蓄光性のあるものに限定される問題もある。このため、災害時以外の通常時においては暗いイメージになりがちであり、設計者の意図にそぐわない。
また、設置位置において照度が不足している場合には、状況に応じてダウンライト等の照明が必要であり、スペースの有効活用ができない問題もある。
【００１０】
他方、ガラス素材の導光板で防煙垂壁を構成し、光源を設けて案内表示等を行う場合、ガラス素材の特性により導光板全体に光源の光が行渡りにくく、案内表示等の視認性が悪いという問題もあった。
【００１１】
そこで、本発明は、震災等の災害時においても破損や崩落の危険性が少なく、また、災害時以外の通常時においても案内表示等の情報性や、美感性を確保し、スペースの有効活用することが可能な防煙垂壁を提供することを目的とする。
【課題を解決するための手段】
【００１２】
上記課題を達成するために、本発明に係る防煙垂壁は、透明なアクリルによって形成された矩形状の導光板と、前記導光板の縁に沿って設けられたＬＥＤと、前記導光板を建築物の天井に固定する不燃材の枠体と、を有し、前記導光板の表示方向の表面において、不燃材のシートが設けられ、前記導光板は、前記枠体と前記シートとによって覆われ、表示方向の表面において装飾が施されることを特徴としている。ここで、シートは、建築基準法等の法律によって定められた不燃性を有し、かつ、防煙性能を満たしている必要がある。
【００１３】
アクリル製の導光板によって防煙垂壁が構成されているため、ガラスに比べて軽量であり、災害時においても落下する危険性が少ない。たとえ、防煙垂壁が地震等により落下した場合であっても、アクリル製であるため破片の飛散は少ない。
また、シートが導光板の表示方向の表面に設けられるため、破片の飛散を回避することができる。
したがって、本発明の防煙垂壁は、災害時における破損や崩落する危険性が少なく、安全性を確保することができる。
さらに、導光板にシートが設けられることにより、防煙垂壁としての機能が発揮される。
さらにまた、導光板の表示方向の表面に装飾が施されることにより、電光サインとしての機能が発揮される。
また、ＬＥＤにより照明としての効果も発揮するため、照度の不足を解消することができ、ダウンライトの設置が不要になる。
【００１４】
また、透明なアクリルによって形成された矩形状の導光板と、前記導光板の縁に沿って設けられたＬＥＤと、前記導光板を建築物の天井に固定する不燃材の枠体と、を有し、前記導光板の表示方向において、不燃材のシートが設けられ、前記導光板は、前記枠体と前記シートとによって覆われ、前記シートは、前記導光板の表示方向の表面において装飾が施されるようにしてもよい。
シートに装飾が施されることにより、シートを取り換えるだけで容易に装飾の変更をすることが可能となる。
ここで、シートは、行政機関によって不燃材として認定がされたものである。この行政機関は、防煙垂壁の不燃材を認定する管轄省庁であり、本願の出願時においては国土交通省である。
【００１５】
枠体は、前記導光板の上縁を保持する天井側枠体と、前記導光板の下縁を保持する床側枠体と、を備え、ＬＥＤは、前記天井側枠体に設けられるようにしてもよい。
ＬＥＤが天井側枠体に設けられることによって、最短距離で配線をすることができ、最小限のスペースで設置することが可能となる。
【００１６】
導光板は、表示方向の表面にエンボス加工が施されるようにしてもよい。
エンボス加工が施されることにより、このエンボスが、表示方向に対して光源となるため、均一に導光板に光を提供することができ、より装飾を見やすくすることができる。
【００１７】
不燃材のシートは、導光板の表面に着脱可能に貼着されるようにしてもよいし、導光板の表面にスライド可能に設けられた樹脂製のスライド板に着脱可能に貼着されるようにしてもよい。
【発明の効果】
【００１８】
以上のように、本発明の防煙垂壁によれば、装飾が施されたアクリル製の導光板と、ＬＥＤによる光源と、防煙機能を有するシートを備えることにより、ガラスに比べて軽量な防煙垂壁を提供することができ、災害時においても落下する危険性を少なくすることができる。たとえ、防煙垂壁が地震等により落下した場合であっても、アクリル製であるため破片の飛散は少なくなる。
【００１９】
また、シートが導光板の表示方向の表面に設けられるため、破損時の破片の飛散を回避することができる。
したがって、本発明の防煙垂壁は、災害時における破損や崩落する危険性が少なく、安全性を確保することができる。
さらに、導光板にシートが設けられることにより、防煙垂壁としての機能が発揮される。
【００２０】
さらにまた、導光板の表示方向の表面に装飾が施されることにより、電光サインとしての機能が発揮される。また、ＬＥＤにより照明としての効果も発揮するため、照度の不足を解消することができ、ダウンライトの設置が不要になる。このため、スペースの有効活用しつつ、明るいイメージの装飾を表示することが可能となる。
【図面の簡単な説明】
【００２１】
【図１】図１は、本発明の防煙垂壁の全体構成を示す斜視図である。
【図２】図２は、枠体にＬＥＤと導光板が格納された状態を示す拡大図であり、（ａ）は、天井側に配置される枠体の格納状態を示すものであり、（ｂ）は、床側に配置される枠体の格納状態を示すものである。
【図３】図３は、実施例１における防煙垂壁の正面図である。
【図４】図４は、床側枠体と連用吊り子受けとの嵌合を示す拡大斜視図である。
【図５】図５は、実施例２における導光板を示したもので、（ａ）は、導光板の表示方向の表面にエンボス加工がされたものを示す正面図である。（ｂ）は、エンボス加工が施された導光板に入射光の散乱状態を示したものである。
【図６】図６は、実施例２における防煙垂壁の正面図である。
【図７】図７は、実施例３における防煙垂壁の正面図であり、（ａ）は、スライド板を枠体に嵌める際の状態を示したものであり、（ｂ）は、スライド板が枠体に収容された状態を示す斜視図である。
【図８】図８は、実施例３における床側枠体を斜視図であり、（ａ）は、床側枠体の全体構成を示すものであり、（ｂ）は、各部材が係合された状態を示すものである。
【図９】図９は、接続部の係合突起とスライド板保持部の係合突起との係合状態を示す拡大断面図である。
【発明を実施するための形態】
【実施例１】
【００２２】
本発明の防煙垂壁について、図面を参照しつつ説明する。
【００２３】
図１乃至４に示すように、防煙垂壁１は、透明なアクリルによって形成された矩形平板状の導光板２と、導光板２の光源となるＬＥＤ（Light Emitting Diode）３と、導光板２を建築物の天井に固定する枠体４と、を有して構成されている。
【００２４】
導光板２の厚さは、薄すぎると風などによりしなってしまうため、５ｍｍ程度であることが好ましい。
【００２５】
導光板２は、その表示方向の表面において装飾５が施される。
この装飾５は、レーザー加工等によって施されたもので、情報を伝達する文字、数字、図形、アイコン等、また、情報を伝達するものに限られず、例えば、模様や絵柄であってもよく、所望のものを施すことができる。
本実施例においては、図３に示すように、中央に２４階であることを示す２４Ｆの文字と、その両隣に模様が施されている。
【００２６】
導光板２の表示方向の表面において、建築基準法等の法律によって定められた防煙機能を有するシート６が接着剤等によって貼着されている。
シート６は、透明であることが好ましく、防煙垂壁１の不燃材を認定する行政機関（本願出願時においては国土交通省）によって不燃材の規定に適合するものと認定を受けたものであること要する。
【００２７】
さらに、導光板２の表示方向の表面と当接する部分には粘着層が設けられている。したがって、この粘着層を気泡を抜きつつ導光板２の表示方向の表面に貼ることによって、シート６が導光板２に設けられる。
【００２８】
ＬＥＤ３は、板状に形成された基盤３０に長手方向に列状をなして複数設けられたもので、スイッチング電源３１に接続されている。また、ＬＥＤ３の長さは、導光板２の上縁の長さと同等（表示方向の幅方向に対して同等）である。
【００２９】
枠体４は、アルミ等の不燃材で形成されるもので、隣り合う導光板２のＬＥＤ３の配列方向の側面を収容する中間ジョイント４０と、建物の天井側に配置され導光板２の上縁を保持する天井側枠体４１と、床側に配置され導光板２の下縁を保持する床側枠体４２と、導光板２の側面の端部を覆い天井側枠体４１と床側枠体４２とに接続される側方枠体４３と、を有して構成される。
【００３０】
天井側枠体４１は、ＬＥＤ３の配列方向の形状が断面略Ｈ状に形成されるもので、ＬＥＤ３の配線等を収容する配線収容部４４と、ＬＥＤ３と導光板２を格納する格納体７を収容する格納体収容部４５と、天井仕上材（図示せず）と当接するレール部４６と、床側枠体４２と連結するネジ切プレート（図示せず）を収容するネジ切プレート収容部４７と、を有して構成されている。
【００３１】
配線収容部４４は、吊り下げ方向の天井側に形成されるもので、ＬＥＤ３に接続する配線と、ネジ切プレートと、を収容する。また、配線収容部４４は、吊り下げ方向に沿って延設された一対の立設部４４ａを有し、この立設部同士の対峙する先端が互いに近接するように延びて形成されている。また、ＬＥＤ３の接続部が配置される側に端部の近傍には、配線をＬＥＤ３の接続部に通すための孔４４ｂが設けられている。
【００３２】
格納体収容部４５は、吊り下げ方向の床側に設けられるもので、床側に配される部位が開口された略コ字状に形成され、吊り下げ方向に沿って形成された一対の立設面を有する。
【００３３】
格納体７は、床側に向けられた部位が開口された断面コ字状に形成されるもので、吊り下げ方向に沿って形成された一対の立設面７ａに導光板２のスペーサ８がそれぞれ設けられ、天井側に位置する面にＬＥＤ３が設けられている。ＬＥＤ３とスペーサ８の固定は、それぞれ接着剤等によって接着することによって行われている。
【００３４】
レール部４６は、導光板２の表示方向の外側に向かって天井側枠体４１の側面から一体に延設されたもので、先端部４６ａが僅かに吊り下げ方向の上側（天井仕上材方向）に向かって延設される。
【００３５】
ネジ切プレート収容部４７は、配線収容部４４と、格納体収容部４５と、の間に設けられ、床側面の一部がＬＥＤ３の配列方向に沿って開口して形成された開口部４７ａを有している。したがって、ネジ切プレート収容部４７は、この開口部４７ａを介して格納体収容部４５と連通している。
【００３６】
床側枠体４２は、天井側に向けられる部位が開口された（上方に開口された）断面コ字状に形成されるもので、吊り下げ方向の上側に向かって一対の立設部４２ａが設けられ、この立設部４２ａの対峙する方向の内側には中間ジョイント４０と嵌合する返し部が設けられる。
【００３７】
隣り合う床側枠体４２の間には、隣り合う導光板２の側面同士を固定する中間ジョイント４０が設けられる。
中間ジョイント４０は、不燃材によって形成されるもので、吊り下げ方向に沿って延設され、ＬＥＤ３の配列方向の両側面に（導光板２と対峙する両側縁に）、導光板２の側面を覆うことが可能に一対の凹部が設けられると共に、天井側から床側に貫通するように吊り下げ棒１０を通すための貫通孔（図示せず）がＬＥＤ３の配列方向の略中央（一対の凹部間）に形成されている。
また、中間ジョイント４０の吊り下げ方向の床側の端部には、床側枠体４２を天井側枠体４１に接続する連用吊り子受け４８が設けられる。
【００３８】
連用吊り子受け４８は、図４に示すように、天井側に向けられる部位が開口された断面コ字状に形成され、ＬＥＤ３の配列方向において吊り下げ方向の上側に向かって一対の立設部４８ａを有しており、床側枠体４２の凹部の端部からスライドして嵌入することが可能になっている。
また、ＬＥＤ３の配列方向の略中央には、先端がボルト状に形成された吊り下げ棒１０の基端が固定されている。
【００３９】
側方枠体４３は、ＬＥＤ３の配列方向の側面の端部（中間ジョイント４０の凹部に収容されない端部）を覆うことが可能に断面コ字状に凹部が形成され、先端側に天井側枠体４１と接続する天井側接続部（図示せず）と、基端に床側枠体４２と接続する床側接続部（図示せず）と、が設けられている。
【００４０】
本実施例においては、天井側接続部と床側接続部とは、天井側枠体４１、床側枠体４２に嵌入することによってそれぞれ接続される。
【００４１】
以上で説明した防煙垂壁１を天井に取り付ける場合には、天井側枠体４１の配線収容部４４に設けられたネジ切プレートと天井部材とを連結ボルト（図示せず）で螺合することにより天井側枠体４１を天井部材に固定する。
導光板２が格納された格納体７を格納体収容部４５に差し込み、吊り下げ棒１０の先端を、中間ジョイント４０の孔を介して、天井側枠体４１のネジ切プレート収容部４７に収容されたネジ切プレートと螺合させる。
連用吊り子受け４８の端部を床側枠体４２の端部からスライドさせて嵌入する。側方枠体４３を天井側枠体４１と床側枠体４２の端部に差し込み接続する。
【００４２】
なお、本実施例では、天井側枠体４１にＬＥＤ３を設けるように構成したが、床側枠体４２にＬＥＤ３を設けて実施することも可能である。この場合において、格納体７を収容する格納体収容部４５を床側枠体４２に設けて実施すると良い。
【００４３】
さらに、側方枠体４３にＬＥＤ３を設けて実施することも可能である。この場合において、格納体７を収容する格納体収容部４５を床側枠体４２に設けて実施すると良い。
【００４４】
以上のように、本発明の防煙垂壁１によれば、装飾５が施されたアクリル製の導光板２と、ＬＥＤ３による光源と、防煙機能を有するシート６を備えることにより、ガラスに比べて軽量な防煙垂壁１を提供することができ、災害時においても落下する危険性が少ない。たとえ、防煙垂壁１が地震等により落下した場合であっても、アクリル製であるため破片の飛散は少ない。
【００４５】
また、シート６が導光板２の表示方向の表面に設けられるため、破片の飛散を回避することができる。
したがって、本発明の防煙垂壁は、災害時における破損や崩落する危険性が少なく、安全性を確保することができる。
さらに、導光板２にシート６が設けられることにより、防煙垂壁１としての機能を発揮することができる。
【００４６】
さらにまた、導光板２の表示方向の表面に装飾５が施されることにより、電光サインとしての機能が発揮される。また、ＬＥＤ３により照明としての効果も発揮するため、照度の不足を解消することができ、ダウンライトの設置が不要になる。このため、スペースの有効活用しつつ、明るいイメージの装飾５を表示することが可能となる。
【実施例２】
【００４７】
上述の実施例においては、導光板２に装飾５が施されるものであったが、シート６に装飾５が施されるものであってもよい。
尚、実施例１と同様の構成については、同一符号を付して説明を省略し、以下の実施例についても同様とする。
【００４８】
図５に示すように、導光板２の表示方向の表面にエンボス加工が施され、凹部２０が形成されている。
このエンボス加工は、導光板２の一方の表示面に施されるものであってもよいし、両方の表示面に施されるものであってもよい。
【００４９】
また、図６に示すように、シート６の表面には、装飾５が施されている。シート６は、透明であっても、着色が施されていてもよいが、防煙垂壁１の不燃材を認定する行政機関（本願出願時においては国土交通省）によって不燃材として認定されたものである。
【００５０】
本例において装飾５は、シート６の表示方向の表面に、出口の方向の案内表示と、お手洗いの案内表示を示すものである。したがって、防煙垂壁１は、案内板としての機能も果たしている。なお、実施例１と同様に、装飾５は案内表示に限られず、様々な文字、図形、模様等を施すことが可能である。
【００５１】
以上のように、ＬＥＤ３から導光板２に入光した光が、エンボス加工によって形成された凹部２０に入り込むことによって、当該凹部２０から表示方向に光を発することができ、導光板２の表示面全体を明るく照らすことになる。
【００５２】
また、シート６の表面に装飾５が施されることによって、シート６を張り替えるだけで容易に装飾５のデザインを変更することができる。
【実施例３】
【００５３】
実施例２においては、導光板２の表示方向の表面に直接的にシート６を設けたものであったが、部材を介して間接的にシート６が設けられるものであってもよい。
【００５４】
具体的には、図７に示すように、シート６は、導光板２の表示方向の表面と当接するように設けられたスライド板１１に着脱可能に接着剤等によって貼着される。
【００５５】
スライド板１１は、アクリル等の透過性を有する樹脂製であり、透明であっても着色されたものであってもよい。
また、スライド板１１の厚さは、側方枠体４３の凹部及び中間ジョイント４０の凹部において、導光板２が収容された際に形成される隙間をスライド可能に形成されると共に、導光板２が格納された格納体７において形成される隙間に収容可能に形成される。
【００５６】
床側枠体４２は、図８（ａ）に示すように、導光板２を保持する導光板保持部４２ｂと、導光板２とスライド板１１とを保持するスライド板保持部４２ｃとから構成されている。
【００５７】
導光板保持部４２ｂは、天井側に向けられる部位が開口された断面コ字状に形成された本体部４２ｄと、本体部４２ｄの先端と基端に形成されスライド板保持部４２ｃと接続する２つの接続部４２ｅとから構成されている。
【００５８】
本体部４２ｄと接続部４２ｅの間には、スライド板保持部４２ｃの保持部位の厚みに応じた段部４２ｆが形成される。また、接続部４２ｅは、接続方向の略中間に係合孔４２ｇが形成される。このため、図８（ｂ）及び９に示すように、導光板保持部４２ｂとスライド板保持部４２ｃとが接続されると、接合面が同じ高さに（平らに）なる。
【００５９】
スライド板保持部４２ｃは、天井側に向けられる部位が開口された断面コ字状に形成され、立設部間の幅Ａは、導光板保持部４２ｂの立設部間の幅Ｂよりも広く形成される。また、導光板保持部４２ｂの立設部と対峙するスライド板保持部４２ｃの立設部間の幅Ｃは、スライド板の厚みと同等に形成される。
また、スライド板保持部４２ｃの底面（床側に形成される面）には、ＬＥＤ３の配列方向の略中央に係合突起４２ｈが形成される。
【００６０】
したがって、スライド板保持部４２ｃを導光板保持部４２ｂの接続部４２ｅ上をスライドさせつつ、係合突起４２ｈを係合孔４２ｇに嵌合させることで、両者は接続され、枠体４は、スライド板１１を保持することが可能となる。
【００６１】
以上のように、予め装飾５を施したシートを貼着したスライド板１１を入れ替えるだけで、容易に装飾５の表示内容を変更することができる。
【符号の説明】
【００６２】
１  防煙垂壁
２  導光板
３  ＬＥＤ
４  枠体
５  装飾
６  シート
１１  スライド板
【図１】
2018099488.tif 000003
【図２】
2018099488.tif 000004
【図３】
2018099488.tif 000005
【図４】
2018099488.tif 000006
【図５】
2018099488.tif 000007
【図６】
2018099488.tif 000008
【図７】
2018099488.tif 000009
【図８】
2018099488.tif 000010
【図９】
2018099488.tif 000011